Podtech/llm-jp-corpus-v4-ja_patent huggingface dataset:
【手続補正書】
【提出日】平成19年8月29日(2007.8.29)
【手続補正１】
【補正対象書類名】明細書
【補正対象項目名】特許請求の範囲
【補正方法】変更
【補正の内容】
【特許請求の範囲】
【請求項１】
少なくとも１つの燃焼室（２）で、燃焼用空気と燃料の混合気が燃焼される車両（Ａ）の内燃機関の作動方法において、燃焼用空気が、少なくとも１つのアブソーバ（３，４）を具備する吸収装置（１）に供給され、前記燃焼用空気から窒素の一部を分離することによって前記燃焼用空気の酸素を増加させ、この酸素が増加された空気が、燃焼に続く排気ガス流に供給されることを特徴とする内燃機何の作動方法。
【請求項２】
少なくとも１つの燃料室で、燃焼用空気と燃料の混合気が燃焼される車両（Ａ）の内燃機関の作動方法であって、燃焼用空気が少なくとも１つのアブソーバ（３，４）を具備する吸収装置（１）に供給され、この燃焼用空気から窒素の少なくとも一部を分離することによって、この燃焼用空気の酸素を増加させ、燃焼に供給される燃焼用空気の一部のみが酸素を増加され、且つ燃焼室（２）には、一方で吸収装置（１）から独立したライン（４１）を介して非酸素増加燃焼用空気が供給され、他方で該ラインとは別の入口を介して酸素増加燃焼用空気が供給されるものにおいて、
吸収作用の間、超過圧力を発生させる圧縮装置が、内燃機関の始動前に作動すること特徴とする内燃機関の作動方法。
【請求項３】
少なくとも１つの燃料室で、燃焼用空気と燃料の混合気が燃焼される車両（Ａ）の作動方法であって、該車両（Ａ）はターボチャージャーを有し、前記燃焼用空気は、少なくとも１つのアブソーバ（３，４）を有する吸収装置（１）に供給され、この燃焼用空気から窒素の少なくとも一部を分離することによってこの燃焼用空気に酸素を増加させ、ターボチャージャー始動の間に生じるターボラグが実質的に補償されるように、ターボチャージャー始動の間、前記酸素増加燃焼用空気が、内燃機関に供給されることを特徴とする請求項１又は２記載の内燃機関の作動方法。
【請求項４】
少なくとも１つの燃料室で、燃焼用空気と燃料の混合気が燃焼される車両（Ａ）の作動方法であって、該車両（Ａ）はターボチャージャーを有し、前記燃焼用空気は、少なくとも１つのアブソーバ（３，４）を有する吸収装置（１）に供給され、この燃焼用空気から窒素の少なくとも一部を分離することによってこの燃焼用空気に酸素を増加させるものにおいて、キャリヤガスが、燃焼前に酸素増加燃焼用空気に付加され、燃焼室での燃焼に参加せず、且つ排気ガスにそのまま存在することを特徴とする請求項１、２又は３記載の内燃機関の作動方法。
【請求項５】
前記キャリヤガスは循環し、且つ燃焼後再生されることを特徴とする請求項４記載の内燃機関の作動方法。
【請求項６】
キャリヤガスの付加及び再生は、内燃機関のエンジン出力に対応して制御されるか又は調節されることを特徴とする請求項４又は５記載の内燃機関の作動方法。
【請求項７】
燃焼用ガスは、吸収装置に供給される前に加熱され、且つ／又は吸着剤がアブソーバにおいて加熱されることを特徴とする請求項１〜６のいずれか１つに記載の内燃機関の作動方法。
【請求項８】
吸収作用の間、超過圧力を発生させる圧縮装置が、前記内燃機関を始動させる前に作動されることを特徴とする請求項１又は３〜７のいずれか１つに記載の内燃機関の作動方法。
【請求項９】
酸素増加燃焼用空気の一部流は、超過圧力下において、燃焼に供給される非酸素増加燃焼用空気に供給されることを特徴とする請求項１〜８のいずれか１つに記載の内燃機関の作動方法。
【請求項１０】
酸素増加燃焼用空気は、燃焼に供給される燃焼用空気の酸素の割合が２１％〜６０％の間、特に２２％〜３０％の間であるような量において、前記非酸素増加燃焼用空気に供給されることを特徴とする請求項１〜９のいずれか１つに記載の内燃機関の作動方法。
【請求項１１】
超過圧力は、吸収作用の間、２〜１０バールの間、特に３〜５バールの圧力で、アブソーバ（３，４）にかけられることを特徴とする請求項１〜１０のいずれか１つに記載の内燃機関の作動方法。
【請求項１２】
少なくとも２つの並列に接続されたアブソーバ（３，４）が設けられ、アブソーバ（３，４）の間の切換が、エンジン出力に対応して、又は乾燥剤又はゼオライトの飽和レベルに対応して、一定の間隔で行われることを特徴とする請求項１〜１１のいずれか１つに記載の内燃機関の作動方法。
【請求項１３】
一方のアブソーバ（３，４）は、他方のアブソーバ（３，４）に切り換えられるまで、少なくとも２０秒吸収作用のために作動され、且つ両方のアブソーバ（３，４）は、短い期間同時に作動されることを特徴とする請求項１〜１２のいずれか１つに記載の内燃機関の作動方法。
【請求項１４】
一方のアブソーバは、一方のアブソーバから他方のアブソーバに切換られた後に開放されて、吸収した窒素を一方のアブソーバから脱着して大気に放出し、且つ一方のアブソーバは、他方のアブソーバのほぼ全体の吸収段階の間開放されることを特徴とする請求項１〜１３のいずれか１つに記載の内燃機関の作動方法。
【請求項１５】
前記アブソーバは、脱着段階の間、酸素増加燃焼用空気で掃気され、特に逆流掃気されることを特徴とする請求項１〜１４のいずれか１つに記載の内燃機関の作動方法。
【請求項１６】
燃焼用空気の酸素含有量は、吸収作用の後測定され、且つ特に内燃機関の始動のために、特定の作動状況に対応して調節され又は制御されることを特徴とする請求項１〜１５のいずれか１つに記載の内燃機関の作動方法。
【請求項１７】
外気導入作動モードにおいて、空気が車両（Ａ）の車室（Ｂ）内を循環し、車室（Ｂ）内の酸素含有量が、外気導入作動モードの間測定され、且つ前記車室（Ｂ）の前記吸収装置（１）からの酸素増加空気が、測定された酸素含有量に対応して車室（Ｂ）内の空気に共有されることを特徴とする請求項１〜１６のいずれか１つに記載の内燃機関の作動方法。
【手続補正書】
【提出日】平成19年8月29日(2007.8.29)
【手続補正１】
【補正対象書類名】明細書
【補正対象項目名】特許請求の範囲
【補正方法】変更
【補正の内容】
【特許請求の範囲】
【請求項１】  主要量の内燃機関用燃料と、燃料の燃焼堆積物を抑制する量の、一般式
2003517510.tif 000001
［式中、Ｒ1は、約４〜約３０個の炭素原子を有するアルキル基、脂環式基若しくはアルキル脂環式基、又はアルキル基が約４〜約３０個の炭素原子を有するアルキルアリール基であり；ｘは０〜約５の整数であり、ｙは１〜約４９の整数であり、ｚは１〜約４９の整数であり、且つ、ｘ＋ｙ＋ｚの合計が３〜約５０に等しく；Ｒ2及びＲ3はそれぞれ、相違し、１〜４個の炭素原子のアルキル基であり、また、各オキシアルキレン基は、オキシアルキレン単位を繰り返してランダム共重合体を形成するいかなる組合せであっても良く；Ｒ4はＲ2又はＲ3と同一であり；Ｒ5は水素、又は
2003517510.tif 000002
（式中、Ｒ7は水素、又は１〜５個の炭素原子のアルキル基である）であり、また、Ｒ6は水素、又は１〜５個の炭素原子のアルキル基である］の少なくとも１種のヒドロカルビルポリオキシアルキレンアミノアルコールとを含有する燃料組成物。
【請求項２】  Ｒ1は、アルキル基が約６〜約２４個の炭素原子を有するアルキルアリールである、請求項１に記載の燃料組成物。
【請求項３】  Ｒ2がメチルであり、Ｒ3がエチルであり、Ｒ5が水素であり、且つ、Ｒ6がエチルである、請求項１または２に記載の燃料組成物。
【請求項４】  ｘが０に等しく、ｙ対ｚの比が約１．５〜約２である、請求項１〜３のいずれか１項に記載の燃料組成物。
【請求項５】  ヒドロカルビルポリオキシアルキレンアミノアルコールが、約１０ＰＴＢ〜約２０００ＰＴＢの量で存在する、請求項１〜４のいずれか１項に記載の燃料組成物。
【請求項６】  ヒドロカルビルポリオキシアルキレンアミノアルコールが、約４０ＰＴＢ〜約３００ＰＴＢの量で存在する請求項５記載の燃料組成物。
【請求項７】  主要量の内燃機関用燃料と、燃料の燃焼堆積物を抑制する量の、一般式
2003517510.tif 000003
（式中、ｙは約５〜約１０の整数であり、ｚは約５〜約１０の整数であり、且つ、Ｒ4は−ＣＨ3又は−ＣＨ2ＣＨ3である）の少なくとも１種のヒドロカルビルポリオキシアルキレンアミノアルコールランダム共重合体とを含有する燃料組成物。
【請求項８】  ｙ対ｚの比が約１〜約３である、請求項７に記載の燃料組成物。
【請求項９】  ｙ対ｚの比が約１．５〜約２である、請求項８に記載の燃料組成物。
【請求項１０】  ランダム共重合体が、約１０ＰＴＢ〜約２０００ＰＴＢの量で存在する、請求項７〜９のいずれか１項に記載の燃料組成物。
【請求項１１】  ランダム共重合体が、約４０ＰＴＢ〜約３００ＰＴＢの量で存在する、請求項１０に記載の燃料組成物。
【請求項１２】  内燃機関の中に燃料の燃焼堆積物が堆積するのを抑制する方法であって、主要量の内燃機関用燃料と、燃料の燃焼堆積物を抑制する量の、一般式
2003517510.tif 000004
［式中、Ｒ1は、約４〜約３０個の炭素原子を有するアルキル基、脂環式基若しくはアルキル脂環式基、又はアルキル基が約４〜約３０個の炭素原子を有するアルキルアリール基であり；ｘは０〜約５の整数であり、ｙは１〜約４９の整数であり、ｚは１〜約４９の整数であり、且つ、ｘ＋ｙ＋ｚの合計が３〜約５０に等しく；Ｒ2及びＲ3はそれぞれ、相違し、１〜４個の炭素原子のアルキル基であり、また、各オキシアルキレン基は、オキシアルキレン単位を繰り返してランダム共重合体を形成するいかなる組合せであっても良く；Ｒ4はＲ2又はＲ3と同一であり；Ｒ5は水素、又は
2003517510.tif 000005
（式中、Ｒ7は水素、又は１〜５個の炭素原子のアルキル基である）であり、また、Ｒ6は水素、又は１〜５個の炭素原子のアルキル基である］の少なくとも１種のヒドロカルビルポリオキシアルキレンアミノアルコールとを含有する燃料組成物を内燃機関用燃料として使用する該内燃機関を作動させることを含む、上記抑制方法。
【請求項１３】  Ｒ1は、アルキル基が約６〜約２４個の炭素原子を有するアルキルアリールである、請求項１２に記載の方法。
【請求項１４】  Ｒ2がメチルであり、Ｒ3がエチルであり、Ｒ5が水素であり、且つ、Ｒ6がエチルである、請求項１２または１３に記載の方法。
【請求項１５】  ｘが０に等しく、ｙ対ｚの比が約１．５〜約２である、請求項１２〜１４のいずれか１項に記載の方法。
【請求項１６】  ヒドロカルビルポリオキシアルキレンアミノアルコールが、約１０ＰＴＢ〜約２０００ＰＴＢの量で存在する、請求項１２〜１５のいずれか１項に記載の方法。
【請求項１７】  ヒドロカルビルポリオキシアルキレンアミノアルコールが、約４０ＰＴＢ〜約３００ＰＴＢの量で存在する請求項１６記載の燃料組成物。
【請求項１８】  内燃機関用燃料としてのガソリン燃料のためのガソリン添加組成物において、一般式
2003517510.tif 000006
［式中、Ｒ1は、約４〜約３０個の炭素原子を有するアルキル基、脂環式基若しくはアルキル脂環式基、又はアルキル基が約４〜約３０個の炭素原子を有するアルキルアリール基であり；ｘは０〜約５の整数であり、ｙは１〜約４９の整数であり、ｚは１〜約４９の整数であり、且つ、ｘ＋ｙ＋ｚの合計が３〜約５０に等しく；Ｒ2及びＲ3はそれぞれ、相違し、１〜４個の炭素原子のアルキル基であり、また、各オキシアルキレン基は、オキシアルキレン単位を繰り返してランダム共重合体を形成するいかなる組合せであっても良く；Ｒ4はＲ2又はＲ3と同一であり；Ｒ5は水素、又は
2003517510.tif 000007
（式中、Ｒ7は水素、又は１〜５個の炭素原子のアルキル基である）であり、また、Ｒ6は水素、又は１〜５個の炭素原子のアルキル基である］の少なくとも１種のヒドロカルビルポリオキシアルキレンアミノアルコールと、アンチノック剤、氷結防止剤、酸化防止剤、金属不活性化剤及び乳化破壊剤から成る群から選ばれる少なくとも１種の添加成分とを含有する上記ガソリン添加組成物。
【請求項１９】  内燃機関用燃料としてのガソリン燃料のためのガソリン添加組成物において、燃料の燃焼堆積物を抑制する量の、一般式
2003517510.tif 000008
（式中、ｙは約５〜約１０の整数であり、ｚは約５〜約１０の整数であり、且つ、Ｒ4は−ＣＨ3又は−ＣＨ2ＣＨ3である）の少なくとも１種のランダム共重合体と、アンチノック剤、氷結防止剤、酸化防止剤、金属不活性化剤及び乳化破壊剤から成る群から選ばれる少なくとも１種の添加成分とを含有する上記ガソリン添加組成物。
【請求項２０】  ｙ対ｚの比が約１〜約３である、請求項１９に記載のガソリン添加組成物。
【請求項２１】  ｙ対ｚの比が約１．５〜約２である、請求項２０に記載のガソリン添加組成物。
【手続補正書】
【提出日】平成19年10月10日(2007.10.10)
【手続補正１】
【補正対象書類名】明細書
【補正対象項目名】特許請求の範囲
【補正方法】変更
【補正の内容】
【特許請求の範囲】
【請求項１】  硬化性のはぎとり接着剤とコーティングフィルムならびに高性能接着剤用配合物であって、
（ａ）架橋可能なエポキシ化ジエンポリマーを１０から９０重量パーセントと、
（ｂ）ジエンモノオールポリマーを０から７０重量パーセント（ただし、そのモノオールポリマーがそのエポキシ化ポリマー重量の３倍を超えないことを条件とする）と、以下に示す（ｃ１）＋（ｄ１）又は（ｃ２）＋（ｄ２）＋（ｅ）のいずれか；
（ｃ１）平均して、分子当たり１つより多いビニル芳香族炭化水素ブロックを有するビニル芳香族炭化水素とジエンのブロックコポリマー（ただし、前記ブロックコポリマー中のビニル芳香族炭化水素の量は３０重量％未満であり、かつ、前記ブロックコポリマーは、そのうえにカルボン酸または酸無水物の０．１重量％から５重量％をグラフトすることによって官能基が導入されていてもよい）を５から４０重量パーセントと、
（ｄ１）粘着付与樹脂を０から６５重量パーセント、または、
（ｃ２）平均して、分子当たり１つより多いビニル芳香族炭化水素ブロックを有するビニル芳香族炭化水素とジエンのブロックコポリマー（ただし、前記ブロックコポリマー中のビニル芳香族炭化水素の量は３０から５０重量％であり、かつ、前記ブロックコポリマーは、そのうえにカルボン酸または酸無水物の０．１から５重量％をグラフトすることによって官能基が導入されていてもよい）を５から４０重量％と、
（ｄ２）２から２０重量パーセントのアロマティシティ（aromaticity）を有する粘着付与樹脂を５から６５重量パーセントと、
（ｅ）光開始剤を０．０１から３重量パーセント
を含み、
全部の合計量が１００重量パーセントとなる前記配合物。
【手続補正書】
【提出日】平成19年1月17日(2007.1.17)
【手続補正１】
【補正対象書類名】明細書
【補正対象項目名】００１７
【補正方法】変更
【補正の内容】
【００１７】
米国特許第５，６７３，８５９号明細書は、流動接触分解のための蒸発ノズルを開示している。この蒸発ノズルは、液体炭化水素充填物のノズルによる蒸発によって、この充填物を細かく噴霧させるため横方向に伸びた２つの吐出オリフィスを有している。オリフィスは、集束噴霧を生じさせるよう傾いていることが好ましいが、発散噴霧又は実質的に平坦な噴霧を生じさせるように傾いていてもよい。このシステムの基本的原理は、金属棒での非弾性衝撃による充填物の運動エネルギー消費を利用して噴霧化を促進している点にある。このように、良好な噴霧化を得るためには、装置の上流を高圧にする必要がある。供給原料流動速度の２乗に伴って運動エネルギーが減少するため、減少した供給原料流動速度により、噴霧性能が著しく悪化する。これに対し、本発明では、噴霧エネルギーは充填流動速度と独立であるため、上記のような作用は生じない。
【手続補正書】
【提出日】平成19年7月23日(2007.7.23)
【手続補正１】
【補正対象書類名】明細書
【補正対象項目名】特許請求の範囲
【補正方法】変更
【補正の内容】
【特許請求の範囲】
【請求項１】  組成物としての配列番号１のアミノ酸配列を有する成長ホルモン放出ホルモン。
【請求項２】  医薬的に許容されうる担体中に請求項１に記載の成長ホルモン放出ホルモンを含有する、動物における成長ホルモンの放出を刺激するための医薬組成物。
【請求項３】  組成物としての配列番号１のアミノ酸配列を有する成長ホルモン放出ホルモンをコードするヌクレオチド配列。
【請求項４】  プロモーター、配列番号１のアミノ酸配列をコードするヌクレオチド配列、および機能的発現のために作動可能に連結されている３’非翻訳領域を含有するベクター。
【請求項５】  前記プロモーターが合成筋原性プロモーターである請求項４に記載のベクター。
【請求項６】  前記３’非翻訳領域がｈＧＨ３’非翻訳領域である請求項４に記載のベクター。
【請求項７】  請求項４に記載のベクターを含有する、動物の成長ホルモンを増加させる為の医薬。
【請求項８】  請求項４に記載のベクターを含有する、動物の成長ホルモン経路に付随する成長ホルモン関連欠乏疾患を処置する為の医薬。
【請求項９】  前記欠乏疾患が前記動物における遺伝物質の変化の結果である請求項８に記載の医薬。
【請求項１０】  請求項４に記載のベクターを含有する、動物の成長成績を改善する為の医薬。
【請求項１１】  請求項４に記載のベクターを含有する、動物の効率を増大させる為の医薬。
【請求項１２】  請求項４に記載のベクターを含有する、動物の消耗性症状を処置する為の医薬であって、ここで、前記消耗性症状が、火傷、外傷、およびＡＩＤＳその他の消耗性疾患に付随するものからなる群より選択される症状である、医薬。
【請求項１３】  請求項４に記載のベクターを含有する、動物の成長を増進させる為の医薬。
【請求項１４】  請求項４に記載のベクターを含有する、成長ホルモン経路に付随する成長ホルモン関連欠乏疾患を処置する為の医薬。
【請求項１５】  前記動物がヒト、愛玩動物、家畜、および使役動物からなる群より選ばれる請求項７、８、９、１０、１１、１２、１３、または１４に記載の医薬。
【請求項１６】  筋原性細胞に導入される請求項７、８、９、１０、１１、１２、１３、または１４に記載の医薬。
【請求項１７】  前記動物の筋肉組織に導入される請求項７、８、９、１０、１１、１２、１３、または１４に記載の医薬。
【請求項１８】  １回の投与で前記動物に導入される請求項７、８、９、１０、１１、１２、１３、または１４に記載の医薬。
【請求項１９】  前記ベクターがプラスミド、ウイルスベクター、リポソーム、およびカチオン性脂質からなる群より選ばれる請求項４に記載のベクター。
【請求項２０】  動物の成長ホルモン経路に付随する成長ホルモン関連欠乏症を処置する為の医薬であって、
合成筋原性プロモーター；
配列番号１をコードするヌクレオチド配列；および
機能的発現のために作動可能に連結されているｈＧＨの３’非翻訳領域
を含有するベクターを含む、医薬。
【請求項２１】  動物の正常な成長に付随するレベルよりも大きなレベルで成長ホルモンの産生を刺激する為の医薬であって、
合成筋原性プロモーター；
配列番号１をコードするヌクレオチド配列；および
機能的発現のために作動可能に連結されているｈＧＨの３’非翻訳領域を含有するベクターを含む、医薬。
【手続補正書】
【提出日】平成19年1月15日(2007.1.15)
【手続補正１】
【補正対象書類名】明細書
【補正対象項目名】特許請求の範囲
【補正方法】変更
【補正の内容】
【特許請求の範囲】
【請求項１】  ｐｔｃ機能喪失表現型、ヘッジホッグ機能増進表現型、又はスムースンド機能増進表現型を有する細胞の変化された増殖状態を阻止するための医薬組成物であって、少なくとも一のｃＡＭＰアゴニストを含む当該医薬組成物。
【請求項２】  少なくとも一のｃＡＭＰアゴニストが、アデニレートシクラーゼを活性化する、請求項１に記載の医薬組成物。
【請求項３】  少なくとも一のｃＡＭＰアゴニストが、ｃＡＭＰ類似体である、請求項１に記載の医薬組成物。
【請求項４】  少なくとも一のｃＡＭＰアゴニストが、ｃＡＭＰホスホジエステラーゼインヒビターである、請求項１に記載の医薬組成物。
【請求項５】  組成物が、ｐｔｃ機能喪失、ヘッジホッグ機能増進、又はスムースンド機能増進媒介のシグナル変換を、１ｍＭ以下のＥＤ50で阻止する、請求項１に記載の医薬組成物。
【請求項６】  組成物が、ｐｔｃ機能喪失、ヘッジホッグ機能増進、又はスムースンド機能増進媒介のシグナル変換を、１μＭ以下のＥＤ50で阻止する、請求項１に記載の医薬組成物。
【請求項７】  組成物が、ｐｔｃ機能喪失、ヘッジホッグ機能増進、又はスムースンド機能増進媒介のシグナル変換を、１ｎＭ以下のＥＤ50で阻止する、請求項１に記載の医薬組成物。
【請求項８】  組成物を、治療又は化粧適用の部分として投与する、請求項１に記載の医薬組成物。
【請求項９】  治療用及び化粧用適用を、神経組織の調節、骨及び軟骨の形成及び修復、精子形成の調節、平滑筋の調節、肺、肝臓その他の原腸から生じる器官の調節、造血機能の調節、皮膚及び毛の増殖の調節よりなる群から選択する、請求項８に記載の医薬組成物。
【請求項１０】  組成物が、フォルスコリン又はその類似体を含む、請求項１に記載の医薬組成物。
【請求項１１】  組成物が、ｃＡＭＰホスホジエステラーゼインヒビター又はｃＡＭＰ類似体を更に含む、請求項１０に記載の医薬組成物。
【請求項１２】  組成物が、ｃＡＭＰホスホジエステラーゼインヒビター、ｃＡＭＰ類似体及びアデニレートシクラーゼアクチベーターの少なくとも２つを含む、請求項１に記載の医薬組成物。
【請求項１３】  基底細胞癌を治療し又は予防するための医薬組成物であって、ｃＡＭＰアゴニストを、基底細胞癌の進行を阻止するのに十分な量で含む当該医薬組成物。
【請求項１４】  組成物が、アデニレートシクラーゼを活性化するｃＡＭＰアゴニストを含む、請求項１３に記載の医薬組成物。
【請求項１５】  アデニレートシクラーゼを活性化するｃＡＭＰアゴニストが、フォルスコリン又はその類似体である、請求項１４に記載の医薬組成物。
【請求項１６】  組成物が、ｃＡＭＰホスホジエステラーゼインヒビター又はｃＡＭＰ類似体を更に含む、請求項１４に記載の医薬組成物。
【請求項１７】  組成物が、ｃＡＭＰホスホジエステラーゼインヒビター、ｃＡＭＰ類似体及びアデニレートシクラーゼアクチベーターの少なくとも２つを含む、請求項１３に記載の医薬組成物。
【請求項１８】  髄芽細胞腫を治療し又は予防するための医薬組成物であって、ｃＡＭＰアゴニストを、髄芽細胞腫の進行を阻止するのに十分な量で含む当該医薬組成物。
【請求項１９】  組成物が、アデニレートシクラーゼを活性化するｃＡＭＰアゴニストを含む、請求項１８に記載の医薬組成物。
【請求項２０】  アデニレートシクラーゼを活性化するｃＡＭＰアゴニストが、フォルスコリン又はその類似体である、請求項１９に記載の医薬組成物。
【請求項２１】  組成物が、ｃＡＭＰホスホジエステラーゼインヒビター又はｃＡＭＰ類似体を更に含む、請求項１９に記載の医薬組成物。
【請求項２２】  組成物が、ｃＡＭＰホスホジエステラーゼインヒビター、ｃＡＭＰ類似体及びアデニレートシクラーゼアクチベーターの少なくとも２つを含む、請求項１に記載の医薬組成物。
【請求項２３】  ｐｔｃ機能喪失表現型、ヘッジホッグ機能増進表現型、又はスムースンド機能増進表現型をイン・ビトロで有する細胞の変化された増殖状態をイン・ビトロで阻止する方法であって、それらの細胞をｃＡＭＰアゴニストと接触させることを含む当該方法。
【請求項２４】  組成物が、アデニレートシクラーゼを活性化するｃＡＭＰアゴニストを含む、請求項２３に記載の方法。
【請求項２５】  ｃＡＭＰアゴニストが、フォルスコリン又はその類似体である、請求項２４に記載の方法。
【手続補正書】
【提出日】平成19年11月2日(2007.11.2)
【手続補正１】
【補正対象書類名】明細書
【補正対象項目名】特許請求の範囲
【補正方法】変更
【補正の内容】
【特許請求の範囲】
【請求項１】
マイクロプロセッサに接続されたフラッシュメモリシステムにおいて、
フラッシュマクロのセットとして配列されたフラッシュメモリセルと、
前記フラッシュマクロの他方を同時に読み出している間に前記フラッシュマクロの一方に書き込む読み出し同時書き込み手段とを備え、
前記読み出し同時書き込み手段は、
マイクロプロセッサから受信された信号を前記フラッシュマクロの選択された一つに書込む手段、と
前記選択されたフラッシュマクロに向けられた前記マイクロプロセッサからのリードコマンドの受信に応答して、前記書込み手段がその動作を完了するまで、マイクロプロセッサの動作を一時停止し、リードコマンドを実行する手段とを含む、フラッシュメモリシステム。
【請求項２】  読み出し同時書き込み手段の現在のステータスを表す値を記憶する手段をさらに含み、前記値は、前記マイクロプロセッサによりアクセス可能である、請求項１のシステム。
【請求項３】
フラッシュマクロのセットとして配列されたフラッシュメモリセルと、
フラッシュメモリコントローラと、
前記フラッシュメモリマクロと前記フラッシュメモリコントローラを相互接続するフラッシュメモリバスとを備え、
前記フラッシュメモリコントローラは、
フラッシュマクロ当りの待ち状態の１つのプログラム可能な数を有した、前記フラッシュマクロに関連する待ち状態のプログラム可能な数を記憶する手段と、
選択されたフラッシュマクロをアクセスする手段であって、前記選択されたフラッシュをアクセスする手段は、選択されたフラッシュマクロに関連する待ち状態の数でプログラムされた前記フラッシュメモリバスを用いて前記選択されたフラッシュマクロをアクセスする手段とを含む、メモリシステム。
【請求項４】  前記待ち状態レジスタの各々は待ち状態の任意の整数を表すようにプログラム可能である、請求項３のシステム。
【請求項５】
フラッシュマクロのセットとして配列されたフラッシュメモリセルと、
各フラッシュマクロに関連した別個のパスワードを記憶する手段と、
前記フラッシュマクロの選択された１つのための正当なパスワードの受信に応答して、前記選択されたフラッシュマクロのフラッシュセルのプログラミングまたは消去を可能にしながら同時に全ての他のフラッシュセルのプログラミングまたは消去を防止する手段とを含むフラッシュメモリコントローラーと、
を備えたフラッシュメモリシステム。
【請求項６】  前記フラッシュマクロの一つのフラッシュセルの一部は、ブートローダソフトウェアを記憶する請求項５のフラッシュメモリシステム。
【請求項７】
前記ブートローダに関連するパスワードを記憶する手段と、
前記ブートローダのための正当なパスワードの受信に応答して、前記ブートローダの前記フラッシュセルのプログラミング又は消去を可能にする手段、
を更に含む請求項６のフラッシュメモリシステム。
【請求項８】
前記フラッシュマクロの選択されたフラッシュセルを消去するための手段をさらに含み、前記消去手段は、ワード消去、頁消去又は大量消去動作を選択的に実行する、請求項６のフラッシュメモリシステム。
【請求項９】
前記各フラッシュマクロに関連する別個のパスワードを記憶する手段は、ハードワイヤードメモリに前記パスワードを記憶する請求項６のフラッシュメモリシステム。
【請求項１０】
フラッシュメモリセルと、
前記フラッシュメモリセルをハイメモリロケーションおよびロウメモリロケーションに分割する手段を含むフラッシュメモリコントローラーとを備え、
前記フラッシュメモリセルは、前記フラッシュメモリ空間の最下位のメモリアドレスで始まるブートローダと他のメモリロケーション内のフラッシュマクロを記憶し、
前記分割手段は、前記ブートローダにより実行される動作が完了した後、ハイメモリロケーションとロウメモリロケーションを交換する手段を含む、フラッシュメモリシステム。
【請求項１１】
フラッシュマクロのセットとして配列されたフラッシュメモリセルと、
フラッシュメモリコントローラと、
前記フラッシュメモリマクロと前記フラッシュメモリコントローラを相互接続するフラッシュメモリバスと、
を備え、
前記フラッシュメモリコントローラは、
フラッシュマクロ当りの待状態の一つのプログラム可能な数を有する、前記フラッシュマクロに関連する待状態のプログラム可能な数を記憶するための待状態レジスタユニットと、
前記選択されたフラッシュマクロをアクセスするフラッシュマクロアクセスユニットと、
を含み、前記フラッシュマクロアクセスユニットは、前記選択されたフラッシュマクロに関連する待状態の数でプグラムされたフラッシュメモリバスを用いて前記選択されたフラッシュマクロをアクセスする、メモリシステム。
【請求項１２】
フラッシュマクロのセットとして配列されたフラッシュメモリセルと、
各フラッシュマクロに関連する別個のパスワードを記憶するためのパスワードレジスタと、
前記フラッシュマクロの選択された１つのための正当なパスワードの受信に応答して前記選択されたフラッシュマクロのフラッシュセルのプログラミングまたは消去を可能にしながら同時にすべての他のフラッシュセルのプログラミングと消去を防止する回路と、
を含むフラッシュメモリコントローラーと、
を備えたフラッシュメモリシステム。
【請求項１３】
フフラッシュメモリセルと、
前記フラッシュメモリセルをハイメモリロケーションとロウメモリロケーションに分割するフラッシュメモリコントローラとを備え、
前記フラッシュメモリセルは、フラッシュメモリ空間の最下位のメモリアドレスに始まるブートローダ及び他のメモリ位置内のフラッシュマクロを記憶し、
前記フラッシュメモリコントローラは、ブートローダにより実行された動作が完了した後に前記ハイメモリロケーション及びロウメモリロケーションを交換するフラッシュメモリシステム。
【手続補正書】
【提出日】平成19年11月2日(2007.11.2)
【手続補正１】
【補正対象書類名】明細書
【補正対象項目名】特許請求の範囲
【補正方法】変更
【補正の内容】
【特許請求の範囲】
【請求項１】  データベースに実装する方法において、
ＧＰＳ可能デバイスの位置を評価し、所定の期間待機し、前記ＧＰＳ可能デバイスの位置を再評価し、前記所定の期間待機する前後で、前記ＧＰＳ可能デバイスの位置が実質的に同一かどうか求めることによってタグ位置を求めるステップと、
前記位置を識別するリクエストをサーバーコンピュータシステムのためにフォーマットし、前記位置を識別する前記リクエストを前記サーバーコンピュータシステムへ通信することを含む、前記タグ位置に関する情報をリクエストするステップと、
メモリー内にあるデータベースを有するコンピュータシステムに前記情報を提供するステップを備えていることを特徴とする方法。
【請求項２】  データベースに実装する方法において、
コンピュータを使用してマップ表示をユーザーに提示し、前記マップ表示上で選択された位置を受取ることによって、タグ位置を求めるステップと、
選択された領域を識別するリクエストをサーバーコンピュータシステムのためにフォーマットし、前記選択された領域を識別する前記リクエストを前記サーバーコンピュータシステムへ通信することを含む、前記タグ位置に関する情報をリクエストするステップと、
メモリー内にあるデータベースを有するコンピュータシステムに前記情報を提供するステップとを備える方法。
【請求項３】  請求項１のデータベースに実装する方法において、前記タグ位置は複数の位置からなる方法。
【請求項４】  請求項３のデータベースに実装する方法において、前記タグ位置は選択した領域を備える方法。
【請求項５】  データベースに実装する方法において、
マップ表示の領域を選択できるマップ表示をユーザーに提示し、前記マップ表示上で選択された領域の表示を受信することによってタグ位置を求めるステップと、
選択された領域を識別するリクエストをサーバーコンピュータシステムのためにフォーマットし、前記選択された領域を識別する前記リクエストを前記サーバーコンピュータシステムへ通信することを含む、前記タグ位置に関する情報をリクエストするステップと、
メモリー内にあるデータベースを有するコンピュータシステムに前記情報を提供するステップとを備える方法。
【請求項６】  プロファイルを使用してデータベース中のデータにアクセスする方法において、前記データは、地理上の位置の表示と、前記地理上の位置に関する情報と、前記プロファイルと関連付けられたデータのサブセットとを備え、
前記データベースからデータのリクエストを受信し、
前記データベースからのデータのリクエストに関連するプロファイル識別を受信し、
前記データベースの検索のため検索基準を形成し、前記検索基準は、データのリクエストの詳細と、前記プロファイル識別により識別されたプロファイルの詳細とを含み、
前記検索基準を満たすデータを探し出すステップを備えることを特徴とする方法。
【請求項７】  請求項６において、前記プロファイルはユーザー情報を含む方法。
【請求項８】  請求項７において、前記ユーザー情報はユーザーの年齢を含む方法。
【請求項９】  請求項６において、前記プロファイルはユーザーのお気に入りとして識別された項目を含む方法。
【請求項１０】  請求項６において、前記プロファイルは標準の詳細を含む方法。
【請求項１１】  請求項６において、更にプロファイルの詳細の修正のリクエストを受信し、前記プロファイルの詳細の修正のリクエストに応じて、前記プロファイルを修正するステップを備える方法。
【請求項１２】  請求項６において、各プロファイルはユーザーと関連付けられる方法。
【請求項１３】  請求項１２において、複数のプロファイルはユーザーと関連付けられる方法。
【請求項１４】  ユーザーの位置の基づいてユーザーに情報を提供する方法において、
前記ユーザー位置の識別を受信し、
前記ユーザー位置に近い位置に関するデータを求め、
前記データを前記ユーザーに提供するステップを備えることを特徴とする方法。
【請求項１５】  計画したルートを修正する方法において、
ルートの開始地点を受信し、
ルートの終了地点を受信し、
ロードブロック位置を受信し、
前記ロードブロック位置を避けて、前記ルートの開始地点から前記ルートの終了地点へのルートを求めるステップを備えることを特徴とする方法。
【請求項１６】  ルートを求める方法において、
ルートの開始地点を受信し、
ルートの終了地点を受信し、
移動方法を受信し、
前記移動方法に基づいて、前記ルートの開始地点から前記ルートの終了地点へのルートを求めるステップを備えることを特徴とする方法。
【手続補正書】
【提出日】平成19年11月6日(2007.11.6)
【手続補正１】
【補正対象書類名】明細書
【補正対象項目名】特許請求の範囲
【補正方法】変更
【補正の内容】
【特許請求の範囲】
【請求項１】  患者の気道から流体を除去可能な形状にされたカテーテルと、
前記カテーテルと連通するように配置された換気回路を構成し、前記カテーテルが前記換気回路を通して患者の気道の中に前進できるようになったマニホルドと、
前記マニホルドに配置され、少なくとも１つの表面上に少なくとも１つの突出部を備え、前記換気回路からの空気の引き出しを選択的に制限するような形状にされている弁と、
を備える装置。
【請求項２】  前記弁が、第１遠位位置と第２近位位置との間で移動可能なフラップを備えることを特徴とする請求項１に記載の装置。
【請求項３】  前記フラップの近位面上の少なくとも１つの突出部が、前記カテーテルの遠位端と接触するような形状にされることを特徴とする請求項２に記載の装置。
【請求項４】  前記フラップが前記第２近位位置に引き出される際に、前記フラップと係合して前記フラップを該第２近位位置で保持するように、前記マニホルドに配置されたキャッチをさらに備えることを特徴とする請求項３に記載の装置。
【請求項５】  前記弁が、前記マニホルドにピボット運動可能に接続されたフラップを備えることを特徴とする請求項１に記載の装置。
【請求項６】  前記フラップが、ほぼディスク形であり、該ディスクの直径を増すために、そこから近位に外向きに延びる少なくとも１つの突出部を備えることを特徴とする請求項５に記載の装置。
【請求項７】  前記弁が、開放位置と閉鎖位置を有し、摩擦によりほぼ閉鎖位置に維持されることを特徴とする請求項１に記載の装置。
【請求項８】  前記弁がさらに孔を備え、前記フラップが該孔を選択的に覆うように配置されることを特徴とする請求項１に記載の装置。
【請求項９】  前記マニホルドに配置されたカラーをさらに備え、該カラーにオリフィスが形成されることを特徴とする請求項８に記載の装置。
【請求項１０】  前記カラーが、該カラーの中に液体を注入するためのポートを含むことを特徴とする請求項９に記載の装置。
【請求項１１】  患者の呼吸器系から分泌物を吸引可能な形状にされた遠位端を有するカテーテルと、
前記カテーテルが、前記マニホルドを通して前記患者の呼吸器系に前進し、該患者の呼吸器系から前記マニホルドを通して引き抜くことができるように、前記カテーテルと連通するように配置された換気装置マニホルドと、
少なくとも１つの表面上に少なくとも１つの突出部を備え、前記カテーテルの遠位端を少なくとも部分的に塞ぐために、前記遠位端と摩擦接触し、これにより該遠位端を塞ぐような形状にされている弁と、
を備える気管内カテーテル・システム。
【請求項１２】  前記弁が、近位面上に形成された少なくとも１つの突出部を介して前記カテーテルの遠位端に摩擦接触するような形状にされたフラップを備えることを特徴とする請求項１１に記載のシステム。
【請求項１３】  前記カテーテルが前記マニホルド内を前進する時に該カテーテルの周りに位置する、第１ワイパーシールと第２ワイパーシールをさらに備えることを特徴とする請求項１２に記載のシステム。
【請求項１４】  前記カテーテルの遠位端が前記第１ワイパーシールの近位に位置し、前記第２ワイパーシールの遠位に位置するように、前記カテーテルが後退可能であることを特徴とする請求項１３に記載のシステム。
【請求項１５】  分泌物を吸引可能な遠位端を有する吸引カテーテルと、
前記カテーテルの近位の長い部分を取り囲む保護スリーブと、
患者の気道と換気装置との間で流体連通するように人工気道のハブに取り付けるために前記保護スリーブに接続され、呼吸の吸気と呼気に適応させるための手段を有するマニホルドと、
前記マニホルドに接続され、前記カテーテルを通した吸引に対してその中に引き出される空気の量を最小限にするために、前記カテーテルの遠位端と係合するように該マニホルドに対してピボット運動可能であり、表面上に少なくとも１つの突出部を備える弁と、
を備える呼吸用吸引装置。
【請求項１６】  前記弁が、前記カテーテルの遠位端を選択的に離間するように配置されたピボット運動可能なフラップを備えることを特徴とする請求項１５に記載の装置。
【請求項１７】  前記フラップがさらに、該フラップに配置された孔を備えることを特徴とする請求項１６に記載の装置。
【請求項１８】  空気流の乱れを増加させるための手段をさらに有することを特徴とする請求項１６に記載の装置。
【請求項１９】  前記フラップの移動を選択的に阻止するために、該フラップと連通するように配置されたロック部材をさらに備えることを特徴とする請求項１６に記載の装置。
【請求項２０】  前記ロック部材が、前記フラップと係合するように前記マニホルド内で内向きに延び、これにより該フラップの移動を阻止するようになった、突出部を備えることを特徴とする請求項１９に記載の装置。
【請求項２１】  前記ロック部材が、前記フラップと前記カテーテルとの間に圧力嵌め継手を備えることを特徴とする請求項１９に記載の装置。
【手続補正書】
【提出日】平成19年8月6日(2007.8.6)
【手続補正１】
【補正対象書類名】明細書
【補正対象項目名】特許請求の範囲
【補正方法】変更
【補正の内容】
【特許請求の範囲】
【請求項１】  近い方の端部と遠い方の端部とを有するシャフト、該シャフトは中空の長手方向の貫通穴を有し、該シャフトの遠い方の端部は該シャフトと共に回転するように該シャフトと協動するヘッドを含んでいる、
シャフトの近い方の端部に取り付けるハンドル、及び
該ハンドルに取り付けるための近い方の端部を有し遠い方の端部に停止用部材を有する長手方向のワイヤー、該長手方向のワイヤーはシャフトの長手方向の貫通穴を経てヘッドを超えて延びており、該停止用部材はその少なくとも一部の直径がシャフトの長手方向の貫通穴の直径より大きい、
を備えた歯内治療器具。
【請求項２】  ハンドルとシャフトとの間でシャフトを実質的に囲むようにシャフトを受け入れるような寸法にされたスリーブ、及び
シャフトをスリーブに組み合わせるための手段
を更に有する請求項１の歯内治療器具。
【請求項３】  ハンドルとヘッド、及びハンドルとヘッドとの間のシャフトを有し、シャフトは多数の離散ギアよりなり、ギアは互いに噛み合っている歯を有し、ギアがヘッドを一緒に回転させるようにヘッドに連結されている歯内治療器具。
【請求項４】  更に摩擦グリップハンドルを有する請求項１、２又は３の歯内治療器具。
【請求項５】  シャフトがコイルバネよりなる請求項１、２又は３の歯内治療器具。
【請求項６】  ヘッドが更に切削用の溝又は隆起を有する請求項１〜５のいずれか１つの歯内治療器具。
【請求項７】  シャフトが更に洗浄液を吐出するための多数の孔を有し、シャフトの近い方の端部がハンドルを超えて延びて洗浄液源に取りはずし可能に連結されている請求項１〜６のいずれか１つの歯内治療器具。
【請求項８】  シャフトの壁が更に洗浄液を回収するための少なくとも１つの低圧吸引孔を有する請求項７の歯内治療器具。
【手続補正２】
【補正対象書類名】明細書
【補正対象項目名】００５４
【補正方法】変更
【補正の内容】
【００５４】
本発明は特別な実施例を参照して説明されたが、この説明は限定する趣旨でなされたものではない。本発明の説明を参照した本技術熟練者には、開示された実施例の種々の変更、並びに本発明の別の実施例が明らかとなるであろう。従って、特許請求の範囲は本発明の範囲内におけるかかる変更を含むであろうことが意図される。
本発明の特徴及び態様を要約すれば、次のとおりである。
（１）  近い方の端部と遠い方の端部とを有するシャフト、
シャフトの近い方の端部に取り付けるハンドル、
シャフトと共に回転するようにその遠い方の端部と協動するヘッド、
シャフトの遠い方の端部にヘッドを取り付ける手段
を備えた歯内治療器具。
（２）  ハンドルとシャフトとの間でシャフトを実質的に囲むようにシャフトを受け入れるような寸法にされたスリーブ、及び
シャフトをスリーブに組み合わせるための手段
を更に有する（１）の歯内治療器具。
（３）  スリーブがコイルバネで構成される（２）の歯内治療器具。
（４）  ヘッド及びシャフトが単一の部材より形成される（２）の歯内治療器具。
（５）  ヘッド及びシャフトが別の部材より形成され、そして後で互いに連結される（２）の歯内治療器具。
（６）  取り付ける手段が、半田付け、接着、溶接又はその他の適切な材料又は技術による（１）の歯内治療器具。
（７）  シャフトをスリーブに組み合わせる手段が、シャフトの遠い方の端部に置かれる（２）の歯内治療器具。
（８）  組み合わせる手段が、シャフトに沿って塗布された接着剤を含む（２）の歯内治療器具。
（９）  更に摩擦グリップハンドルを有する（１）の歯内治療器具。
（１０）  シャフトがコイルバネよりなる請求項１の歯内治療器具。
（１１）  歯の切削用部材を形成し、
シャフトを形成し、そして
歯の切削用部材とシャフトとを連結する
諸段階を含む歯内治療器具の製造方法。
（１２）  歯の切削用部材とシャフトとが同じ材料より形成される（１１）の方法。
（１３）  歯の切削用部材とシャフトとが異なった材料より形成される（１１）の方法。
（１４）  スリーブを形成し、そしてスリーブを通してシャフトを挿入する
諸段階を更に含む（１１）の方法。
（１５）  ハンドルとヘッド、及びハンドルとヘッドとの間のシャフトを有し、シャフトは多数の離散ギアよりなる、ギアは互いに噛み合っている歯を有し、ギアがヘッドを一緒に回転させるようにヘッドに連結されている歯内治療器具。
（１６）  第１の端部と第２の端部とを有するシャフトであって、第１の組成よりなる前記シャフト、及び
シャフトの第１の端部に置かれたヘッドであって、第２の組成よりなる前記ヘッド
を備える歯内治療器具。
（１７）  シャフト及びヘッドであって、シャフトは中空であってかつ長手方向に揃えられた貫通穴を有し、
シャフトが破損した場合に、これが長手方向保持部材上に保持されるであろうように、長手方向に揃えられかつシャフトの長手方向穴の中に受け入れられるような形にされた長手方向保持部材
を備える歯内治療器具。
（１８）  シャフト部分を製造し、切削用の縁をその上に有するヘッド部分を製造し、そしてヘッド部分をシャフトの遠い方の端部に連結する
諸段階を含む歯内治療器具の製造方法。
（１９）  シャフト部分とヘッド部分とが同じ材料で作られる請求項（１８）の方法。
（２０）  材料がステンレス鋼である（１８）の方法。
（２１）  シャフト部分とヘッド部分とが異なった材料で作られる（１８）の方法。
【誤訳訂正書】
【提出日】平成19年9月27日(2007.9.27)
【誤訳訂正１】
【訂正対象書類名】明細書
【訂正対象項目名】００３２
【訂正方法】変更
【訂正の内容】
【００３２】
このように得られた官能化ポリマーにおいて、官能基形成モノマーの量は、官能化ポリマーの重量を基準として約０．２％以上であり、好ましくは約０．２〜約１０％であり、より好ましくは約０．３〜約５％であり、そして最も好ましくは少なくとも約１重量％である。
【誤訳訂正書】
【提出日】平成19年1月25日(2007.1.25)
【誤訳訂正１】
【訂正対象書類名】特許請求の範囲
【訂正対象項目名】全文
【訂正方法】変更
【訂正の内容】
【特許請求の範囲】
【請求項１】
実験式
（Ｍ1-x  Ｌｎx）2Ｏ2Ｓ
で示される、希土類元素（Ｌｎ）でドープされた金属オキシ硫化物（ＭＯＳ）を有する高密度で半透明のシンチレーターセラミックを、少なくとも１０ｍ2／ｇの比表面積を有する金属オキシ硫化物の粉末から製造する方法において、
ａ）湿式粉砕法で有機粉砕液の添加下に粉末の粒径を１０μｍ未満に調節し、
ｂ）この粉末から４０％以上ないし６０％以下の範囲から選択された生成形体密度を有する粉末体を製造し、
ｃ）得られた粉末体を真空中または無加圧下の不活性ガス雰囲気中で１２００℃以上ないし１４５０℃以下の範囲から選択された温度で焼結させることを特徴とする、高密度で半透明のシンチレーターセラミックの製造法。
【請求項２】
実験式（Ｉ）において、ＭはＹ、ＬａおよびＧｄの群からの少なくとも１つの元素であり、ＬｎはＥｕ、Ｃｅ、Ｐｒ、Ｔｂ、Ｄｙ、ＳｍおよびＨｏの群からの少なくとも１つの元素である、請求項１記載の方法。
【請求項３】
無加圧下での焼結のために、粉末体を約８００℃に予熱し、３Ｋ／分未満の加熱速度で最大温度に加熱し、少なくとも１時間維持し、この場合最大温度は、１２００℃を上廻る、請求項１または２に記載の方法。
【請求項４】
有機粉砕液をエタノール、イソプロパノール、ベンジンおよびシクロヘキサンから選択する、請求項１から３までのいずれか１項に記載の方法。
【請求項５】
有機粉砕液を、低い粘度を有する無水の非極性液体から選択する、請求項４記載の方法。
【請求項６】
粉砕液として無水ベンジンを使用する、請求項４または５記載の方法。
【請求項７】
湿式粉砕後に、０．０１質量％以上ないし５質量％以下の残留湿分となるように粉砕液を抽出することによって流動性を有する軟質の顆粒粉末への粉末の造粒を実施し、この顆粒粉末から粉末体を製造する、請求項１から６までのいずれか１項に記載の方法。
【請求項８】
造粒を結合剤の添加なしに実施する、請求項７記載の方法。
【請求項９】
０．１ｍｍ〜１ｍｍの顆粒の大きさを有する顆粒を製造する、請求項７または８に記載の方法。
【請求項１０】
粉末体として粉末の圧縮によって製造される圧縮体を使用する、請求項１から９までのいずれか１項に記載の方法。
【請求項１１】
圧縮を一軸で５０〜１４０ＭＰａの圧縮圧力および／または静水圧により３００ＭＰａまでの圧縮圧力で実施する、請求項１０記載の方法。
【請求項１２】
焼結工程を圧縮段階の終結後に真空中または無加圧下での不活性ガス雰囲気中で実施する、請求項１から１１までのいずれか１項に記載の方法。
【請求項１３】
不活性ガスはアルゴンである、請求項１２記載の方法。
【請求項１４】
加熱速度を焼結法の間に約８００℃から１〜３Ｋ／分に調節する、請求項１から１３までのいずれか１項に記載の方法。
【請求項１５】
最大の焼結温度を１３５０℃〜１４５０℃に調節する、請求項１から１４までのいずれか１項に記載の方法。
【請求項１６】
加熱速度は１Ｋ／分であり、焼結温度は１３８０℃であり、保持時間は３時間である、請求項１４または１５に記載の方法。
【誤訳訂正２】
【訂正対象書類名】明細書
【訂正対象項目名】０００１
【訂正方法】変更
【訂正の内容】
【０００１】
本発明は、金属オキシ硫化物（ＭＯＳ）を基礎とする高密度で半透明のシンチレーターセラミックの製造に関する。
【誤訳訂正３】
【訂正対象書類名】明細書
【訂正対象項目名】０００３
【訂正方法】変更
【訂正の内容】
【０００３】
例えばＸ線計算断層像法に必要とされるような高感度の放射線検出器には、希土類オキシ硫化物の顔料粉末からなるシンチレーターセラミックが公知であり、このシンチレーターセラミックは、総和式
（Ｍ1-x  Ｌｎx）2Ｏ2Ｓ
に従う。従って、この場合には、希土類元素（Ｌｎ）でドープされた金属オキシ硫化物（ＭＯＳ）が重要である。総和式において、Ｍは、Ｙ、Ｌａおよび／またはＧｄを表わし、Ｌｎは、Ｅｕ、Ｃｅ、Ｐｒ、Ｔｂ、Ｙｂ、Ｄｙ、ＳｍおよびＨｏを表わす。
【誤訳訂正４】
【訂正対象書類名】明細書
【訂正対象項目名】００１６
【訂正方法】変更
【訂正の内容】
【００１６】
１つの特別な実施態様において、湿式粉砕後に、０．０１質量％以上ないし５質量％以下の残留湿分となるように粉砕液を抽出することによって流動性を有する軟質の顆粒粉末への粉末の造粒が実施され、この顆粒粉末から粉末体が製造される。
【誤訳訂正５】
【訂正対象書類名】明細書
【訂正対象項目名】００１８
【訂正方法】変更
【訂正の内容】
【００１８】
製造すべき顆粒または顆粒粉末は、好ましくは０．１ｍｍ〜１ｍｍの顆粒の大きさを有する。この場合、顆粒の密度は、例えば３０％である。殊に、粉末体として、粉末の圧縮によって製造される圧縮体が使用される。この場合には、特に粉末として顆粒粉末が使用される。
【誤訳訂正６】
【訂正対象書類名】明細書
【訂正対象項目名】００２１
【訂正方法】変更
【訂正の内容】
【００２１】
焼結工程を圧縮段階の終結後に真空中または無加圧下での不活性雰囲気中で実施することは、好ましいことが判明した。更に、有利には、不活性ガスはアルゴンである。また、場合によっては、例えば硫黄または硫化水素を含有する反応性雰囲気中で後加工することができる。
【誤訳訂正７】
【訂正対象書類名】明細書
【訂正対象項目名】００２７
【訂正方法】変更
【訂正の内容】
【００２７】
図２には、ロータリーエバポレーター法によって製造されたＧＯＳ顆粒の形態が示されている。この顆粒は、顆粒体の十分に均一な大きさによって制限されて軟質であり、流動性を有している。
【誤訳訂正８】
【訂正対象書類名】明細書
【訂正対象項目名】００３３
【訂正方法】変更
【訂正の内容】
【００３３】
粉砕時間の終結後、粉砕液体は除去される。次に、得られた粉末は、引続く圧縮のためにダストを含まない後加工および良好な流動性を保証するために、粉末顆粒中に移される。造粒のための結合剤の使用は、結合剤の熱分解によるＧＯＳ材料の酸化および焼結の間の異質相の包接を回避させるために、回避される。
【誤訳訂正書】
【提出日】平成19年2月22日(2007.2.22)
【誤訳訂正１】
【訂正対象書類名】特許請求の範囲
【訂正対象項目名】全文
【訂正方法】変更
【訂正の内容】
【特許請求の範囲】
【請求項１】
次の層構造；
（ｉ）５〜１０ｍｍの金属、
（ｉｉ）１０〜３００ｍｍのビチューメンを含む混合物、
（ｉｉｉ）５〜１０ｍｍの金属、
を有する複合材料要素。
【請求項２】
（ｉｉ）として、無機フィラー及び／又は合成樹脂を有するビチューメン混合物を含む請求項１に記載の複合材料要素。
【請求項３】
（ｉｉ）として、ＳＢＳ、ＳＢＲ、ＳＩＳ、ＥＰＤＭ、ポリオレフィン、エチレン−アクリル酸ブチル、エチレン−酢酸ビニル、及び／又はエチレン−アクリル酸メチルを有するビチューメン混合物を含む請求項１に記載の複合材料要素。
【請求項４】
ＤＩＮ５２０１０による針入度が０．１〜８０ｍｍである、ＤＩＮ５５９４６第１部のビチューメンを含む請求項１に記載の複合材料要素。
【請求項５】
ＤＩＮ５２０１１による軟化点が５０℃以上であるビチューメンを含む請求項４に記載の複合材料要素。
【請求項６】
８〜３０％のアスファルテン含量を有するビチューメンを含む請求項１に記載の複合材料要素。
【請求項７】
酸化ビチューメンを含む請求項１に記載の複合材料要素。
【請求項８】
層（ｉ）と層（ｉｉｉ）の間への、溶融又は軟化ビチューメンを含む混合物を導入する、請求項１に記載の複合材料要素の製造方法。
【請求項９】
溶融又は軟化した（ｉｉ）を、（ｉ）の表面に施して、次いで溶融又は軟化した（ｉｉ）へ（ｉｉｉ）を固定する、請求項１に記載の複合材料要素の製造方法。
【請求項１０】
（ｉ）及び（ｉｉｉ）への（ｉｉ）の接着結合を含む、請求項１に記載の複合材料要素の製造方法。
【請求項１１】
請求項１〜７のいずれかに記載の複合材料要素を含む土木工学作業用部材又は船舶。
【誤訳訂正２】
【訂正対象書類名】明細書
【訂正対象項目名】０００９
【訂正方法】変更
【訂正の内容】
【０００９】
すなわち、次の層構造；
（ｉ）５〜１０ｍｍの金属、
（ｉｉ）１０〜３００ｍｍのビチューメンを含む混合物、
（ｉｉｉ）５〜１０ｍｍの金属、
を有する複合材料要素である。
【誤訳訂正３】
【訂正対象書類名】明細書
【訂正対象項目名】００１８
【訂正方法】変更
【訂正の内容】
【００１８】
（ｉｉ）として好適に使用される物質は、ＳＢＳ（スチレンブタジエンスチレン）、ＳＢＲ（スチレンブタジエンゴム）、ＳＩＳ（スチレンイソプレンスチレン）、ＥＰＤＭ（エチレンプロピレンジエンゴム）、エチレン−アクリル酸ブチル、エチレン−酢酸ビニル（ＥＶＡ）、エチレン−アクリル酸メチル、及び／又は、例えばポリエチレン、ポリプロピレン、エチレンプロピレン共重合体等のポリオレフィンとのビチューメン混合物である。これらの合成樹脂とのビチューメン混合物は、種々の文献に記載されており、通常、当業者にはありふれたものである。添加物として適した合成樹脂は、ドイツのＥｌｅｎａｃ Ｇｍｂｈから販売されており、例えば、商標Ｌｕｃｏｂｉｔがある。この合成樹脂、特にこのポリオレフィンは、２００００〜１００００００ｇ／モルの数平均分子量を有すると好ましい。ビチューメン混合物中の合成樹脂の含量は、それぞれの場合の（ｉｉ）の全質量に対して、通常、０〜３０質量％、好ましくは０〜１３質量％である。
【誤訳訂正４】
【訂正対象書類名】明細書
【訂正対象項目名】００１９
【訂正方法】変更
【訂正の内容】
【００１９】
本発明の目的のための無機フィラーの例には、石膏、硫酸バリウム、砂、セメント、及び／又は岩粉がある。これらの無機添加物は、ビチューメンの添加物として種々の文献に記載され、公知である。これらの粒径は、通常、１〜７５μｍであり、また砂の場合には通常、０．０８〜２ｍｍである。しかしながら、より大きな粒子も適切に使用することができ、例えば４ｍｍ以上、好ましくは４〜１０ｍｍの粒子の大きさを有する砂利が、この目的のために知られている。ビチューメン混合物における無機フィラーの含量は、それぞれの場合の（ｉｉ）の全質量に対して、通常、０〜９０質量％、好ましくは０〜５０質量％である。